(57)【要約】      （修正有）【課題】高強度の木製手すりブラケットを提供する。【解決手段】壁面に固定するための壁面取付け部２、および手すりを受けるための手すり受け部３より成る。壁面取付け部２が直方体形状であり、および、手すり受け部３が、壁面取付け部の上面２１より上方に突出した突出部として形成され、壁面取付け部２に、壁面取付け用ねじ穴２２が貫通し、手すり受け部３に、壁面取付け用ねじ穴２２と交差する手すり取付け用ねじ穴３２が貫通している。【選択図】図２
0003179129.tif 000002
【実用新案登録請求の範囲】
【請求項１】
手すりを壁面に固定するための木製のブラケット（１）であって、当該ブラケット（１）を壁面に固定するための壁面取付け部（２）、および手すりを受けるための手すり受け部（３）より成るブラケット（１）において、
壁面取付け部（２）が直方体形状であり、および、手すり受け部（３）が、壁面取付け部の上面（２１）より上方に突出した突出部として形成されていること、
壁面取付け部（２）に、壁面取付け用ねじ穴（２２）が貫通していること、および、手すり受け部（２）に、当該壁面取付け用ねじ穴（２２）と交差する手すり取付け用ねじ穴（３２）が貫通していることを特徴とするブラケット（１）。
【請求項２】
壁面取付け用ねじ穴（２２）、若しくは手すり取付け用ねじ穴（３２）、又はこれらの両方が、発光剤（４）、又は発光剤で塗装した埋木（４´）により穴埋め可能であることを特徴とする請求項１に記載のブラケット。
【請求項３】
手すり受け部（３）の、上端部に手すり受け座面（３１）が形成されていることを特徴とする請求項１または２に記載のブラケット。
【請求項４】
壁面取付け部の上面（２１）が、平面台座面として形成され、手すり受け部の壁面側に、当該平面台座面へと続く傾斜勾配面（３３）が設けてあることを特徴とする請求項１から３のいずれか一項に記載のブラケット。
【考案の詳細な説明】
【技術分野】
【０００１】
本考案は、手すりを壁面に固定するための木製ブラケットであって、当該ブラケットを壁面に固定するための壁面取付け部、および手すりを受けるための手すり受け部より成るブラケットに関する。
【背景技術】
【０００２】
現在の建築では、階段その他の内部で使用する手すりブラケットは、アルミ、亜鉛、若しくはステンレス等のダイキャスト加工品、又は金属加工品がほとんどで木製ブラケットは見当たらず、一部寺院や神社の笠木台座にその名残をとどめている。
【０００３】
近年、住宅建築でも新築時からバリアフリー設計が義務づけられ、手すりを必要箇所に取り付けなればならない。
【０００４】
住宅、学校、老人ホーム等々にあって、特に内装・造作・家具等では、開口部のアルミサッシを除くと木が基調であり、手すりも天然木製手すりが大半で、一部樹脂手すりが、浴室等での耐水性が必要な用途で使用されている。
【０００５】
これらの手すり用ブラケットは、木製ブラケットが希求されつつも適切な木製ブラケットが無いことから、アルミや亜鉛ダイカスト品が、木製手すりユニットとして採用されているのが現状である。
【考案の概要】
【考案が解決しようとする課題】
【０００６】
この考案は、建築の室内意匠上で求められる木製手すりの基本ニーズにこたえるべく、木は強度が弱いという先入観念を一新した木製ブラケットを開発し、オール木製手すりユニットとしての提供に資することを目的としている。
【課題を解決するための手段】
【０００７】
この課題は、壁面取付け部が直方体形状であり、および、手すり受け部が、壁面取付け部の上面より突出した突出部として形成されていること、壁面取付け部に、壁面取付け用ねじ穴が貫通していること、および、手すり受け部に、壁面取付け用ねじ穴と交差する手すり取付け用ねじ穴が貫通していることにより解決される。
【０００８】
当該構成をとることにより、木製ブラケットの各ねじ穴には、金属製ねじを貫通させることができる。これによって、木の強度を、取付けに用いる金属製ねじの強度で補完して、十分な強度が得ることができ、例え大人が鉄棒にぶら下がるように手すりにぶら下がっても何の支障もきたさない強さとなる。
【０００９】
ねじ穴は、２段階の径を有する段付きのねじ穴として構成することにより、ねじ、釘の頭が製品の表面にでることが無く、ねじ締めの際に生ずるバリによる身体への切り傷を無くすことができる。
【００１０】
壁面取付け用ねじ穴は、複数設けることも可能である。
【００１１】
壁面取付け用ねじ穴、若しくは手すり取付け用ねじ穴、又はこれらの両方は、発光剤、又は発光剤で塗装した埋木により穴埋め可能である。埋木に替えて、プラスチックやゴム製のダボで穴埋めすることも可能である。これによって、発光剤又は埋木が、非常停電時の避難誘導灯の役目を果たすことが出来る。
【００１２】
例えば、一つの建物で、階段が数箇所ある場合、取付け用ねじ穴の発光剤又は埋木の色を階段ごとに違えることで、手すりの色を変えることなく階段の識別ができる。これによって、手すりに色付けをすることなく、埋木の色でアイキャッチする控えめな品格のあるカラーコーディネートが出来る。
【００１３】
手すり受け部の、上端部に手すり受け座面が形成されているので、在来品と違って、板状の手すり受座を有さない構成とすることができる。
【００１４】
更に、壁面取付け部の上面が、平面台座面として形成され、手すり受け部の壁面側に、当該平面台座面へと続く傾斜勾配面が設けてあることも可能である。
【００１５】
手すりは通常ある程度の長さを有するので、手すり工事の際には、まずブラケットを壁面に取り付け、当該ブラケットに手すりを仮置きして工事を進める。
【００１６】
本考案に従い、手すり受け部の、上端部に手すり受け座面が形成され、手すり受座の無い構成となっていることから、仮置きの際に、手すり表面が手すり受座（板）によって傷付けられることが無く、また手すり受け部の壁面側には、壁面取付け部の平面台座面へと続く傾斜勾配面を設けてあるので、手すりを容易に置くことができる。
【００１７】
この平面台座面は、実施例においては４０φの手すりまで置ける十分な広さを設けてあるので、手すり工事の際の手すりの間配りが、容易かつ安全に出来き、かつ手すり取付けの際にも手すりの持ち上げが無理なく行えるので、壁面の仕上げ面を痛めることも無くなる。結果、手すり取付け作業全体の効率が上がり、また壁面の傷を補修する費用も削減できる。
【００１８】
ブラケットは、受座（板）を有さず、直方体形状の壁面取付け部と、この壁面取付け部の上面より突出した突出部として形成される手すり受け部から成る結果、ブラケットは全体として、略Ｌ字断面形状の構成となる。このブラケットを製品として箱詰めするには、二つの製品を逆方向に向け重ね１原単位として並列箱詰めすると、直方体の連続積重ねができるので、物流コストを最小限にすることができる。
【００１９】
また、このように構成される本考案に係るブラケットは、水平に延在する手すりのみならず、垂直方向に取付ける手すり（例えば便所の縦手すり）にも使用することができる。
【図面の簡単な説明】
【００２０】
【図１】本考案に係る木製ブラケットの全体斜視図。木製の手すりを取り付けた状態の図。ねじ穴に、発光剤を有する実施例として表す。
【図２】本考案に係る木製ブラケットの図。
【図３】本考案に係る木製ブラケットを逆方向に向け重ね１原単位として並列箱詰めした状態の図。
【考案を実施するための形態】
【００２１】
以下に、添付した図面に表す実施例に基づき、本考案を詳細に説明する。
【００２２】
図１は、本考案に係る木製ブラケットを斜視図で表す。木製の手すりが取り付けられた状態の図である。図において手すりは、地面と平行に、つまり水平方向に位置している。
【００２３】
図２は、本考案に係る木製ブラケットを、正面図、平面図、底面図、左右側面図で表す。各図面の縮尺は同一である。
【００２４】
図２の正面図を見てわかるように、本考案に係るブラケット１は、壁面取付け部２と、手すり受け部３より成る。壁面取付け部２は、略直方体の形状を有している。当該壁面取付け部の上面２１からは、手すり受け部３が突出している。
【００２５】
図２よりわかる通り、壁面取付け部２には、壁面取付け用ねじのためのねじ穴２２が設けられている。この壁面取付け用ねじ穴２２は、この実施例においては、図２正面図の左側（壁面と反対側）から、右側（壁面側）へと貫通する貫通穴となっている。図２の実施例においては、壁面取付け用ねじ穴２２は、２つ設けてある。
【００２６】
手すり受け部には、この壁面取付け用ねじ穴２２と交差して、手すり取付け用ねじ穴３２が設けられている。この手すり取付け用ねじ穴３２は、図２の下方から上方（手すり受け部の上端部）へと向かう貫通穴として設けられている。
【００２７】
各ねじ穴は、２段階に径が変化するねじ穴として形成されている。図２の実施例においては、壁面取付け用ねじ穴２２は、壁面取付け部２の底面と略平行に設けられており、その際、壁面と反対側の面（図２正面図の左側面）に近い側で、より大きな径を有し、壁面側が小さな径を有するねじ穴として形成されている。壁面取付け用ねじ穴２２の大径部分は、手すり取付け用ねじ穴３２と交差する位置より深くまで及んでいる。一方、手すり取付け用ねじ穴３２は、下方においてより大きな径を有しており、この大径部分は、壁面取付け用ねじ穴２２との交差部分を越え、手すり取付け部の上端部近くまで及んでいることがわかる。
【００２８】
手すり受け部３の、上端部には、手すり受け座面３１が設けられている。当該実施例においては、手すり受け座面３１は、内側（図下側）に窪んだ湾曲を有しており、手すりを受けやすい形状となっている。
【００２９】
壁面取付け部の上面２１は、平面台座面として形成されており、手すり取付けの際の手すりの仮置きに利用される。
【００３０】
手すり受け部の壁面側（図２の正面図の右側）には、平面台座面へと続く傾斜勾配面３３が設けてある。傾斜勾配の角度は任意である。
【００３１】
本考案に係る木製手すりブラケットは、二つの製品を逆方向に向け重ね１原単位として箱詰めすることが可能である。その際、図３に示すように、これら原単位を複数（例えば５列）ならべて箱詰めすることも可能である。逆方向に重ねた二つの木製ブラケットの間に生じる中央の空所に、取付け用ねじを挿入して包装すると更に有利である。
【符号の説明】
【００３２】
１    ブラケット
２    壁面取付け部
２１  壁面取付け部の上面
２２  壁面取付け用ねじ穴
３    手すり受け部
３１  手すり受け座面
３２  手すり取付け用ねじ穴
３３  傾斜勾配面
４    発光剤
４´  発光剤で塗装した埋木
【図１】
0003179129.tif 000003
【図２】
0003179129.tif 000004
【図３】
0003179129.tif 000005